(57)【要約】【課題】遮蔽シートを設けることなく、太陽電池の配置されない領域を文字板の表面側から目立ちにくくすることが可能な電子時計を提供する。【解決手段】電子時計１０は、光透過性を有し、裏面が第１の色で着色された第１領域１１ｃと、裏面が第１の色で着色されていない第２領域１１ｄと、を有する文字板１１と、文字板１１の裏側に配置され、平面視において、第１領域１１ｃの一部と、第２領域１１ｄと、に重なるように配置される太陽電池１３５と、文字板１１の裏側に配置され、平面視において、第１領域１１ｃであって且つ太陽電池１３５と重ならない領域に、少なくとも一部が重なるように配置されるアンテナ体１１０と、を有する。【選択図】図１１
2019128306.tif 000002
【特許請求の範囲】
【請求項１】
光透過性を有し、裏面が第１の色で着色された第１領域と、前記裏面が前記第１の色で着色されていない第２領域と、を有する文字板と、
前記文字板の前記裏面側に配置され、平面視において、前記第１領域の一部と、前記第２領域と、に重なるように配置される太陽電池と、
前記文字板の前記裏面側に配置され、平面視において、前記第１領域であって且つ前記太陽電池と重ならない領域に、少なくとも一部が重なるように配置されるアンテナ体と、
を有することを特徴とする電子時計。
【請求項２】
前記文字板の表面及び前記裏面の少なくとも一方は、光透過性を有する加飾層で覆われていることを特徴とする請求項１に記載の電子時計。
【請求項３】
前記文字板の表面及び前記裏面の少なくとも一方には、凹凸パターンが形成されていることを特徴とする請求項１又は２に記載の電子時計。
【請求項４】
断面視において、前記太陽電池と、前記アンテナ体との間に配置され、日車を押える機能を有する日車押さえを有し、
前記日車押さえは、前記第１領域であって且つ前記太陽電池と重ならない領域を覆うように構成されることを特徴とする請求項１〜３のいずれか一項に記載の電子時計。
【請求項５】
前記第１領域は、前記文字板の中心から放射状に広がる扇形状であることを特徴とする請求項１〜４のいずれか一項に記載の電子時計。
【請求項６】
光透過性を有し、第１の色の第１部材が裏面に配置された第１領域と、前記裏面に前記第１部材が配置されていない第２領域と、を有する文字板と、
前記文字板の前記裏面側に配置され、平面視において、前記第１領域の一部と、前記第２領域と、に重なるように配置される太陽電池と、
前記文字板の前記裏面側に配置され、平面視において、前記第１領域であって且つ前記太陽電池と重ならない領域に、少なくとも一部が重なるように配置されるアンテナ体と、
を有することを特徴とする電子時計。
【発明の詳細な説明】
【技術分野】
【０００１】
本発明は、アンテナ体と太陽電池とを備える電子時計に関する。
【背景技術】
【０００２】
衛星から送信された電波等を受信するパッチアンテナ等のアンテナ体と、太陽電池とを備えた電子時計が知られている。このような電子時計は、太陽電池に光を入射させることができるように、光透過性を有する文字板を備えている。文字板の裏側に太陽電池が配置され、太陽電池の裏側にアンテナ体が配置される。
【０００３】
特許文献１に記載された技術では、アンテナ体の上方に配置された太陽電池に起因する受信感度の低下を防ぐために、太陽電池の、アンテナ体の上方に配置される部分に、切欠きが設けられている。そして、この切欠きが光透過性を有する文字板を介して視認されることを防ぐために、太陽電池と文字板との間に、遮蔽シートが設けられている。
【先行技術文献】
【特許文献】
【０００４】
【特許文献１】特開２０１２−２１１８９５号公報
【発明の概要】
【発明が解決しようとする課題】
【０００５】
しかしながら、特許文献１に記載の技術では、アンテナ体の上方で太陽電池の配置されない領域を目立ちにくくする部材（遮蔽シート）が、太陽電池と厚さ方向に重なって配置される。このため、電子時計の厚みが増加してしまうという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子時計は、光透過性を有し、裏面が第１の色で着色された第１領域と、前記裏面が前記第１の色で着色されていない第２領域と、を有する文字板と、前記文字板の前記裏面側に配置され、平面視において、前記第１領域の一部と、前記第２領域と、に重なるように配置される太陽電池と、前記文字板の前記裏面側に配置され、平面視において、前記第１領域であって且つ前記太陽電池と重ならない領域に、少なくとも一部が重なるように配置されるアンテナ体と、を有することを特徴とする。
【０００８】
本適用例によれば、文字板において、太陽電池と重ならない領域を含む第１領域の裏面に、着色がなされているため、太陽電池の配置されない領域が第１領域によって遮蔽され、目立ちにくくなる。これにより、遮蔽シートを設ける必要がなくなるため、電子時計の厚みの増加を抑制することが可能となり、電子時計の薄型化を図ることができる。
【０００９】
［適用例２］上記適用例に記載の電子時計において、前記文字板の表面及び前記裏面の少なくとも一方は、光透過性を有する加飾層で覆われていることが好ましい。
【００１０】
本適用例によれば、文字板の表面及び裏面の少なくとも一方が加飾層で覆われているため、文字板に、デザインに合わせた色調や視覚効果（艶消し効果など）を与えることが可能となり、これによって、電子時計のデザインの向上を図ることができる。また、太陽電池の配置されない領域を目立ちにくくすることができる。
【００１１】
［適用例３］上記適用例に記載の電子時計において、前記文字板の表面及び前記裏面の少なくとも一方には、凹凸パターンが形成されていることが好ましい。
【００１２】
本適用例によれば、文字板の表面及び裏面の少なくとも一方に、凹凸パターンが形成されているため、文字板に、デザインに合わせた立体感や光沢感を与えることが可能となり、これによって、電子時計のデザインの向上を図ることができる。また、凹凸パターンが光反射効果や光屈折効果を与えるため、アンテナ体の上方で太陽電池の配置されない領域に該当する反射光が反射・屈折することとなり、太陽電池の配置されない領域を目立ちにくくすることができる。
【００１３】
［適用例４］上記適用例に記載の電子時計において、断面視において、前記太陽電池と、前記アンテナ体との間に配置され、日車を押える機能を有する日車押さえを有し、前記日車押さえは、前記第１領域であって且つ前記太陽電池と重ならない領域を覆うように構成されていることが好ましい。
【００１４】
本適用例によれば、アンテナ体の、太陽電池と重ならない領域を日車押さえが覆うように構成されるため、第１領域が比較的高い光透過性を有していても、太陽電池の配置されない領域を目立ちにくくすることができる。
【００１５】
［適用例５］上記適用例に記載の電子時計において、前記第１領域は、前記文字板の中心から放射状に広がる扇形状であることが好ましい。
【００１６】
本適用例によれば、文字板のデザインは、中心から放射状に広がるような模様や視覚効果を有することが多いため、第１領域を文字板のデザインに盛り込むことができ、これによって、第１領域が視認されても、電子時計のデザイン性の低下を抑制することができる。
【００１７】
［適用例６］本適用例に係る電子時計は、光透過性を有し、第１の色の第１部材が裏面に配置された第１領域と、前記裏面に前記第１部材が配置されていない第２領域と、を有する文字板と、前記文字板の前記裏面側に配置され、平面視において、前記第１領域の一部と、前記第２領域と、に重なるように配置される太陽電池と、前記文字板の前記裏面側に配置され、平面視において、前記第１領域であって且つ前記太陽電池と重ならない領域に、少なくとも一部が重なるように配置されるアンテナ体と、を有することを特徴とする。
【００１８】
本適用例によれば、文字板において、太陽電池と重ならない領域を含む第１領域の裏面に、第１の色の第１部材が配置されているため、太陽電池の配置されない領域が第１領域で遮蔽され目立ちにくくなる。これにより、遮蔽シートを設ける必要がなくなるため、電子時計の厚みの増加を抑制することが可能となり、電子時計の薄型化を図ることができる。
【図面の簡単な説明】
【００１９】
【図１】第１実施形態に係る電子時計を含むＧＰＳの全体図。
【図２】電子時計の外観を示す斜視図。
【図３】電子時計の外観を示す６面図。
【図４】電子時計の概略を示す断面図。
【図５】文字板の外観を示す平面図。
【図６】電子時計の外観を示す概略平面図。
【図７】電子時計の電気制御ブロック図。
【図８】太陽電池の外観を示す平面図。
【図９】太陽電池、文字板受けリング、日車及び日車押さえが重なった状態の外観を示す平面図。
【図１０】地板の外観を示す平面図。
【図１１】アンテナ体を通り、径方向に沿った断面を示す部分断面図。
【図１２】文字板を裏面側から見た平面図。
【図１３】変形例１に係る電子時計において、アンテナ体を通り、径方向に沿った断面を示す部分断面図。
【図１４】変形例１に係る電子時計において、アンテナ体を通り、径方向に沿った断面を示す部分断面図。
【図１５】変形例２に係る電子時計において、アンテナ体を通り、径方向に沿った断面を示す部分断面図。
【図１６】変形例２に係る電子時計において、アンテナ体を通り、径方向に沿った断面を示す部分断面図。
【図１７】変形例３に係る文字板を裏面側から見た平面図。
【図１８】変形例３に係る太陽電池の外観を示す平面図。
【図１９】第２実施形態に係る電子時計において、太陽電池、日車及び日車押さえを表面側から見た平面図。
【図２０】第２実施形態に係る電子時計において、アンテナ体を通り、径方向に沿った断面を示す部分断面図。
【図２１】第３実施形態に係る電子時計において、アンテナ体を通り、径方向に沿った断面を示す部分断面図。
【発明を実施するための形態】
【００２０】
以下、好適な実施の形態を、添付図面等を参照しながら詳細に説明する。ただし、各図において、各部の寸法及び縮尺は、実際のものと適宜に異ならせてある。また、以下に述べる実施の形態は、好適な具体例であるから、技術的に好ましい種々の限定が付されているが、これらの形態に限られるものではない。
【００２１】
＜第１実施形態＞
図１〜図１８を参照しつつ、第１実施形態の電子時計について説明する。
【００２２】
＜Ａ：電子時計の概要＞
図１は、第１実施形態に係る電子時計を含むＧＰＳ（Global Positioning System）の全体図である。まず、電子時計が、外部信号としての電波を用いて、現在地の位置情報と、時刻情報とを求めるＧＰＳの概要を説明する。
【００２３】
図１に示すように、電子時計１０は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２４】
ＧＰＳ衛星８は、約３０個が存在する（図１においては、４個のみを図示）。衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２５】
ＧＰＳ衛星８は原子時計を搭載しており、衛星信号には原子時計で計時されたＧＰＳ時刻情報が含まれている。電子時計１０は、１つのＧＰＳ衛星８から送信された衛星信号を受信し、その中に含まれるＧＰＳ時刻情報を使用して得られた時刻（時刻情報）を内部時刻とする。
【００２６】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２７】
次に、電子時計１０の概略構成について説明する。
図２は、電子時計１０の外観を示す斜視図であり、図３は、電子時計１０の外観を示す６面図である。図４は、電子時計１０の概略を示す断面図である。
なお、図３（ａ）は電子時計１０を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である。図３（ｅ）は６時方向から１２時方向を見た側面図である。図３（ｆ）は電子時計１０を裏面側からみた平面図である。また、本実施形態の電子時計１０は、ワールドタイム機能とクロノグラフ機能を備えている。
【００２８】
図２及び図３に示すように、電子時計１０は、外装ケース３０と、カバーガラス３３と、裏蓋３４とを備えている。外装ケース３０は、金属で形成されていた円筒状のケース３１に、セラミックで形成されたベゼル３２が嵌合されて構成されている。ベゼル３２の内周側に、樹脂で形成されたリング状のダイヤルリング４０が配置され、円盤状の文字板１１が時刻表示部分として配置されている。
【００２９】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形の日小窓１５とが、設けられている。文字板１１、指針２１，２２，２３、第１小窓７０、第２小窓８０、第３小窓９０及び日小窓１５などは、カバーガラス３３を透かして、視認可能となっている。
【００３０】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４及びリュウズ５０が操作されることにより、操作に応じた操作信号が出力される。
【００３１】
図４に示すように、電子時計１０は、金属製の外装ケース３０の２つの開口のうち、表面側の開口は、ベゼル３２を介してカバーガラス３３で塞がれており、裏側の開口は金属で形成された裏蓋３４で塞がれている。
外装ケース３０の内側には、ベゼル３２の内周に取り付けられているダイヤルリング４０と、光透過性を有する文字板１１と、文字板１１を貫通した指針軸２５と、指針軸２５を中心に周回する指針２１，２２，２３と、太陽電池１３５と、アンテナ体１１０と、文字板受けリング１２６と、地板１２５と、日車１３０と、日車押さえ１３１と、指針２１，２２，２３を駆動する駆動機構１４０などとが備えられている（収容されている）。
指針軸２５は、外装ケース３０の平面視における中心を通り、表裏方向に延在する中心軸に沿って設けられている。
【００３２】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。
【００３３】
文字板１１は、外装ケース３０の内側で時刻を表示する樹脂製の板材である。樹脂としては、ポリカーボネートやＡＢＳ樹脂などを利用することができる。文字板１１は、ダイヤルリング４０の下側に配置されており、文字板１１とカバーガラス３３との間に指針２１，２２，２３などが備えられている。
【００３４】
図５は、文字板１１の外観を示す平面図である。
図５に示すように、文字板１１の形状は略円形であり、文字板１１の外周には、文字板１１を文字板受けリング１２６に取り付けるための複数の突起部１２が設けられている。また、文字板１１の中心には、指針軸２５を通すための、中心穴１３が形成されている。なお、文字板１１の形状は、略円形に限定されず、例えば、トノー（樽）形、レクタン（長方形）形、オーバル（楕円）形、スクエア（正方形）形等であってもよい。また、文字板１１の材料は、樹脂に限定されず、例えば、ガラス、貝殻、磁器など光透過性を有するものであればよい。例えば、貝殻であれば、白蝶貝やアワビなどを利用することができる。また、文字板１１の厚みは４００〜５００マイクロメートル程度である。
【００３５】
図４に戻って、文字板１１は、外光が入射する一方の面１１ａと外光が射出する他方の面１１ｂを備える。文字板１１に対して垂直な方向（指針軸２５の軸方向に対して平行な方向）から電子時計１０を構成する部材を見ることを、平面視と称する。文字板１１に対して垂直な方向を、厚さ方向とも称する。文字板１１に対して平行な方向（指針軸２５の軸方向に対して垂直な方向、厚さ方向に対して垂直な方向）から、電子時計１０を構成する部材の断面を見ることを、断面視と称する。文字板１１に対して裏蓋３４側を、厚さ方向の下方とし、裏蓋３４に対して文字板１１側を、厚さ方向の上方とする。図４に、厚さ方向をｚ方向（上方が正側）としたｘｙｚ直交座標系を示す。
【００３６】
文字板１１に対して外光が射出する方向に（文字板１１に対して下方に）、太陽電池（光電池）１３５が備えられている。太陽電池１３５は、文字板１１と地板１２５との間に配置されている。太陽電池１３５は、文字板１１から射出した光が入射し当該光の光エネルギーを電気エネルギー（電力）に変換する光発電を行うソーラーセル（光発電素子）１３５ｃ（図８参照）を有する。また、太陽電池１３５は、太陽光の検出機能も有している。
【００３７】
文字板１１に対して外光が射出する方向に（文字板１１に対して下方に）、電波を受信するアンテナ体１１０が備えられている。アンテナ体１１０は、太陽電池１３５に対して下方に配置されている。アンテナ体１１０としては、例えばパッチアンテナ（マイクロストリップアンテナとも呼ばれる）が用いられる。
【００３８】
詳細は後述するように、太陽電池１３５のソーラーセル１３５ｃが、平面視でアンテナ体１１０と重なりを有すると、アンテナ体１１０が受信すべき電波が太陽電池１３５によってシールドされる。このようなシールドを抑制するために、太陽電池１３５には、切欠き部１３５ｇ（図８参照）が形成されている。アンテナ体１１０は、切欠き部１３５ｇに対し下方に配置されて、平面視において太陽電池１３５と（少なくともソーラーセル１３５ｃと）と重ならない領域を有して配置されている。
【００３９】
太陽電池１３５の下方で、アンテナ体１１０及び地板１２５の上方には、日車１３０と、日車１３０を保持する日車押さえ１３１とが備えられている。日車１３０は、平面視でリング状の平板であり、その表面には、周方向に沿って１〜３１の数字（図示せず）が表記されている。日車押さえ１３１は、日車１３０を押さえる機能を有している。日車１３０及び日車押さえ１３１は、樹脂で形成されている。
【００４０】
文字板１１、太陽電池１３５、日車押さえ１３１及び地板１２５には、指針軸２５が貫通する孔と、第１小窓７０の指針７１、第２小窓８０の指針８１及び第３小窓９０の指針９１の指針軸（図示せず）が貫通する孔とが形成されている。文字板１１及び太陽電池１３５には、日小窓１５の開口部が形成されている。
【００４１】
地板１２５は、樹脂で形成されており、駆動機構１４０の取り付け部を有している。アンテナ体１１０は、厚い方が（体積が大きい方が）受信性能が向上する。このため、本例では、地板１２５に切欠き部１２５ｇを設け、アンテナ体１１０が厚さ方向に配置されている範囲を、地板１２５が厚さ方向に配置されている範囲と重ならせることで（すなわち、アンテナ体１１０を地板１２５と同じ高さまで配置することで）、アンテナ体１１０の厚みを確保している。
【００４２】
駆動機構１４０は、地板１２５に取り付けられ、回路基板１２０で裏側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１及び第３小窓９０の指針９１も同様の駆動機構（図示せず）を有し、各指針７１，８１，９１が駆動する。
【００４３】
回路基板１２０は、受信部（ＧＰＳモジュール）１２２、制御部１５０及びアンテナ体１１０を備えている。回路基板１２０は、太陽電池１３５が発電した電力で充電されるリチウムイオン電池などの２次電池（図示せず）に接続されている。回路基板１２０の下方には、回路押え１２３が設けられている。
【００４４】
＜Ｂ：電子時計の表示機能＞
次に、電子時計１０の表示機能について説明する。
図６は、電子時計１０の外観を示す概略平面図である。
図６に示すように、ダイヤルリング４０には、内周を６分割から６０分割する目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００４５】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００４６】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。使用者がＢボタン６２を操作することにより、指針８１が「Ｙ」または「Ｎ」のいずれか一方を指示し、衛星信号の受信結果を表示する。また、使用者がＡボタン６１とＢボタン６２とを操作して、指針８１を「Ｙ」または「Ｎ」に合わせることで、衛星信号の自動受信のＯＮ／ＯＦＦを設定することができる。また、使用者がＢボタン６２を操作して、電子時計１０に衛星信号を手動受信させた時、指針７１は、衛星の捕捉数量を表示する。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示を含む小窓が設けられる位置に応じて、視認しやすい位置に設けることが好ましい。
【００４７】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００４８】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００４９】
第３小窓９０の７時方向から９時方向までの範囲の外周には、円周に沿って、９時方向の基端が太く、７時方向の先端が細い三日月鎌状の記号９２が表記されている。この記号９２はパワーインジケーターであり、電池の残量に応じて、指針９１が基端、先端、中間のいずれかを指し示す。
【００５０】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。使用者はＡボタン６１を操作し、指針９１で記号９３（機内モード）を選択することで、電子時計１０の衛星信号の受信を停止させることができる。
【００５１】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１が「１」または「４＋」のいずれかを指示し、電子時計１０が直前に受信した衛星信号の受信モードを表示する。
【００５２】
日小窓１５は、文字板１１を矩形状に開口した開口部に設けられており、開口部から、日車１３０に表記されている数字の１つが視認可能となっている。この数字は、年月日の「日」を表す。
【００５３】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００５４】
上述したように、文字板１１には、６０分割された分及び秒を表示する目盛が刻まれ、文字板１１の外周部を囲むダイヤルリング４０には、この目盛に沿って、ＵＴＣとの時差を表す時差情報４５が数字と、数字以外の記号と、で表記されている。数字の時差情報４５は整数の時差であり、記号の時差情報４５は整数以外の時差であることを表している。指針２２，２３，８１で表示される内部時刻と、ＵＴＣとの時差は、リュウズ５０の操作により指針２１の指し示す時差情報４５で確認することができる。
電子時計１０は、ダイヤルリング４０に設けられている６０分割された目盛の一目盛に一時差を割り当てることで最大６０個までの異なる時差に対応した内部時刻を表すことができる。なお、本実施形態では、「ＵＴＣ」記号の時差情報４５は時差の基準である世界協定時を表し、「・」記号の時差情報４５は整数以外の時差を表しているが、他の記号を用いて表記をしてもよい。
【００５５】
本実施形態では、ダイヤルリング４０の「８」と「９」との数字の間に表記されている「・」記号の時差情報４５は、＋８．７５時間（＋８時間４５分）の時差を表し、ＵＴＣ＋８．７５時間を標準時として使用するタイムゾーンを意味する。タイムゾーンは、約４０種類が存在する。本実施形態による電子時計１０のダイヤルリング４０には、４０種類のタイムゾーンを表す時差が時差情報４５として表記されている。また、タイムゾーンの表示は６０種類以内とすることが好適である。６０種類を超えると表示が小さくなり、判別することが困難になる可能性がある。
【００５６】
ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。本実施形態では、都市名を三文字のアルファベットで略したスリーレターコードを使用して都市情報３５が表記されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」北京、「ＴＹＯ」は東京、「ＡＤＬ」はアデレード、「ＳＹＤ」はシドニー、「ＮＯＵ」はネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差情報４５の数字「９」より、東京はＵＴＣ＋９時間の標準時を使用していることを容易に判断することができる。また、「ＣＸＩ」のコードはキリスィマスィ島を表し、このコードに対応してダイヤルリング４０に併記されている時差情報４５の数字「１４」より、キリスィマスィ島はＵＴＣ＋１４時間の標準時を使用していることを容易に判断することができる。なお、本実施形態では、表示スペースの制約と視認性の向上とのため、一部の時差情報４５の時差に対応する代表都市名の表記は省略されている。また、代表都市名の表記方法は一例であり、他の方法で表記してもよい。時差情報４５と都市情報３５との表記をタイムゾーン表示４６という。本実施形態では、全世界で使用されているタイムゾーンの数と等しいタイムゾーン表示４６が表記されている。なお、上述の都市名の表記は一例であり、都市名は、タイムゾーンの変更に応じて適宜変更されることがある。
【００５７】
＜Ｃ：電子時計の電気的構成＞
次に、電子時計１０の電気的構成について説明する。
図７は、電子時計１０の電気制御ブロック図である。
図７に示すように、電子時計１０は、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図６に示すリュウズ５０、Ａボタン６１、Ｂボタン６２、Ｃボタン６３、Ｄボタン６４である。なお、電子時計１０は、電源となる充電可能な２次電池（図示せず）を内蔵している。
【００５８】
受信部１２２は、アンテナ体１１０を備え、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図４に示すカバーガラス３３を通過した衛星信号の電波を受信する。
【００５９】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンプ部）と、ＢＢ部で復調された航法メッセージ（衛星信号）からＧＰＳ時刻情報や位置情報（測位情報）を取得して出力する情報取得部とを備えている。つまり、受信部１２２は、ＧＰＳ衛星８から送信される衛星信号を受信し、受信結果に基づいてＧＰＳ時刻情報と位置情報とを出力する受信部として機能する。
【００６０】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００６１】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００６２】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００６３】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御及び計時を行う。この計時は、例えば、図示しない発振回路からの基準信号のパルス数を計数することによって行われる。
【００６４】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１（図６参照）により内部時刻が表示される。
【００６５】
＜Ｄ：内部構成の詳細＞
次に、電子時計１０の内部構成について、より詳しく説明する。
【００６６】
図８は、太陽電池１３５の外観を示す平面図である。図８には、アンテナ体１１０の輪郭も示されている。以下、矩形の平面形状を有するアンテナ体１１０が、１２時位置に配置されている場合を例示する。
【００６７】
太陽電池１３５は、ソーラーフィルム１３５ｂを有する。太陽電池１３５は、ソーラーフィルム１３５ｂに加えて、太陽電池１３５を他の部材（例えば地板１２５、また例えば文字板受けリング１２６等）に取り付ける際の位置決め部が設けられた案内板を有する。なお、ソーラーフィルム１３５ｂに位置決め部が設けられる場合は、案内板を設けなくてもよい。
【００６８】
ソーラーフィルム１３５ｂは、基板１３５ｅと、ソーラーセル１３５ｃとを有する。基板１３５ｅは、例えば樹脂のフィルムにより形成されており、ソーラーセル１３５ｃは、基板１３５ｅ上に形成されている。ソーラーセル１３５ｃは、半導体部と電極部とを有する。半導体部は、光エネルギーを電気エネルギーに変換する光発電を行う。電極部は、半導体部を挟んで配置された電極を有する。光が入射する側の電極として、光透過性の電極を用いることができる。
【００６９】
太陽電池１３５は、略円形の外形を有する。複数個（本例では８個）のソーラーセル１３５ｃが、当該円形の周方向に並んで配置され、直列接続されている。アンテナ体１１０が、平面視において太陽電池１３５と（少なくともソーラーセル１３５ｃと）重ならない領域を有して配置されるように、太陽電池１３５には、１２時位置に矩形状の切欠き部１３５ｇが形成されている。切欠き部１３５ｇにおいて、基板１３５ｅ及びソーラーセル１３５ｃが切り欠かれている。なお、切欠き部１３５ｇの範囲は、太陽電池１３５が略円形のままである状態、即ち太陽電池１３５に切欠き部１３５ｇが形成されていない状態を想定した仮想外形線１３５ｈよりも内側の範囲とする。
【００７０】
ソーラーセル１３５ｃの電極部が、平面視でアンテナ体１１０と重なりを有すると、アンテナ体１１０が受信すべき衛星信号の電波がシールドされる。アンテナ体１１０が平面視でソーラーセル１３５ｃと重ならない領域を有することで、このようなシールドを抑制することができる。
【００７１】
なお、アンテナ体１１０が平面視でソーラーセル１３５ｃと重ならない領域を設けるために、太陽電池１３５の外周部が切り欠かれた切欠き部１３５ｇを設ける場合を例示しているが、その他例えば、太陽電池１３５の内部に開口部（貫通部）を設けることによって、アンテナ体１１０が平面視でソーラーセル１３５ｃと重ならない領域を設けてもよい。
【００７２】
なお、平面視においてアンテナ体１１０の全部がソーラーセル１３５ｃと重なりを有さないことが最も好ましいが、アンテナ体１１０の一部がソーラーセル１３５ｃと重なりを有する場合であっても、アンテナ体１１０の全部がソーラーセル１３５ｃと重なりを有する場合と比べて、上述のシールドを抑制することができる。
【００７３】
基板１３５ｅの外周部には、案内用タブ１３５ｂ−１及び案内用タブ１３５ｂ−２と、導通部１３５ｄとが設けられている。案内用タブ１３５ｂ−１及び案内用タブ１３５ｂ−２は、太陽電池１３５を地板１２５に対して位置決めする際の、位置決め部として用いられる。導通部１３５ｄは、太陽電池１３５を回路基板１２０と電気的に接続する導通バネの配置部として用いられる。
【００７４】
図９は、太陽電池１３５、文字板受けリング１２６、日車１３０及び日車押さえ１３１が重なった状態の外観を示す平面図であり、電子時計１０の内部構成（文字板１１の裏側の構成）を表面側から見た図である。図９には、アンテナ体１１０の輪郭も示されている。
【００７５】
図９に示すように、文字板受けリング１２６には、太陽電池フック部１２６ａと、地板受け部１２６ｆと、突状部１２６ｍとが設けられている。太陽電池フック部１２６ａは、文字板受けリング１２６に対して太陽電池１３５を固定するために用いられる。上述の案内板に設けられた係合部（図示せず）が、太陽電池フック部１２６ａに係止される。地板受け部１２６ｆには、地板１２５に設けられた庇１２５ｆ（図１０参照）が嵌め合わされ、文字板受けリング１２６に対して地板１２５が固定される。突状部１２６ｍは、文字板受けリング１２６の底面から裏蓋３４側に突出しており、文字板受けリング１２６を外装ケース３０に収納した際に、裏蓋３４に当たることにより、文字板受けリング１２６の厚さ方向への移動を規制する。
【００７６】
太陽電池１３５の切欠き部１３５ｇには、日車１３０及び日車押さえ１３１の一部が露出している。つまり、切欠き部１３５ｇに重なるように配置されるアンテナ体１１０は、表面側から見て、日車１３０及び日車押さえ１３１によって一部が覆われる。
【００７７】
日車押さえ１３１は、日車１３０に対して内周側（指針軸２５側）に配置されている。日車押さえ１３１の外周側の端部は、日車１３０の内周側の端部に対して庇状に乗り上げ、日車１３０の上下方向の遊びの範囲を規定している。日車押さえ１３１は、このようにして、日車１３０を保持する。
【００７８】
図１０は、地板１２５の外観を示す平面図である。図１０には、アンテナ体１１０の輪郭も示されている。
【００７９】
上述のように、アンテナ体１１０を地板１２５と同じ高さまで配置して、アンテナ体１１０の厚みを確保できるように、地板１２５には、１２時位置に矩形状の切欠き部１２５ｇが形成されている。
【００８０】
なお、アンテナ体１１０を地板１２５と同じ高さまで配置しなくても、十分な受信性能を有するアンテナ体１１０の厚みが得られる場合は、地板１２５に切欠き部１２５ｇを設けなくてもよい。地板１２５は、必要に応じて金属で形成されていてもよい。地板１２５が金属で形成されている場合、切欠き部１２５ｇが設けられていることで、上述のようなシールドを抑制することもできる。なお、本例の切欠き部１２５ｇは、アンテナ体１１０の全体が平面視で地板１２５と重ならないように設けられているが、切欠き部１２５ｇは、必要に応じて、アンテナ体１１０の一部が平面視で地板１２５と重なるように設けられていてもよい。
【００８１】
地板１２５には、案内用凸部１２５ａと、文字板高さ決め用凸部１２５ｂと、固定用ピン１２５ｃと、固定用ピン１２５ｃが設けられたフランジ部１２５ｄとが設けられている。太陽電池１３５の案内用タブ１３５ｂ−１と案内用タブ１３５ｂ−２とが、案内用凸部１２５ａを挟むように配置されることで、地板１２５に対して太陽電池１３５が位置決めされるとともに、周方向への移動が規制される。文字板高さ決め用凸部１２５ｂ及びフランジ部１２５ｄは、文字板１１が乗る文字板乗り面を構成する。固定用ピン１２５ｃは、ダイヤルリング４０の孔部と嵌め合わされ、ダイヤルリング４０を固定する。
【００８２】
地板１２５には、また、貫通孔１２５ｅと、庇１２５ｆと、庇１２５ｆの先端部に設けられた突起１２５ｋとが設けられている。貫通孔１２５ｅには、太陽電池１３５と回路基板１２０とを導通させるための導通バネが配置される。庇１２５ｆが、文字板受けリング１２６の地板受け部１２６ｆに嵌め合わされることで、地板１２５と文字板受けリング１２６とが係合する。突起１２５ｋは、地板１２５を外装ケース３０に収納した際に、ケース３１の内周面に当たることにより、地板１２５の平面方向への移動を規制する。
【００８３】
次に、文字板１１の構成について説明する。
図１１は、アンテナ体１１０（切欠き部１３５ｇ）を通り、図９のＡＡ方向（径方向）に沿った断面を示す部分断面図であり、文字板１１を含んだ構成を示している。また、図１２は、文字板１１を裏面側から見た平面図である。
【００８４】
電子時計１０の文字板１１は、光透過性を有するため、太陽電池１３５の切欠き部１３５ｇは、文字板１１を介して視認されやすい。このため、本実施形態の電子時計１０は、文字板１１の裏面のうち、切欠き部１３５ｇに重なる領域に着色が施されており、切欠き部１３５ｇが目立たないようになっている。
【００８５】
図１１及び図１２に示すように、文字板１１は、裏面に着色処理がなされた第１領域１１ｃと、裏面に着色処理がなされていない第２領域１１ｄとを含んで構成されている。なお、これ以降、着色処理によって第１領域１１ｃの裏面に形成された部位のことを、着色部１１ｘとも呼ぶ。
【００８６】
第１領域１１ｃ（着色部１１ｘ）は、太陽電池１３５の配置されない切欠き部１３５ｇと同様、平面視で略矩形を有している。また、第１領域１１ｃは、切欠き部１３５ｇの全域を覆うことができるように、切欠き部１３５ｇより広い範囲に配置されており、第１領域１１ｃの周縁部は、太陽電池１３５と重なっている。つまり、太陽電池１３５は、文字板１１の第２領域１１ｄと第１領域１１ｃの一部とに重なっている。ただし、太陽電池１３５と第１領域１１ｃの重なる範囲が広くなると、太陽電池１３５に入射する光量が低減してしまうため、第１領域１１ｃの大きさは、着色処理時や組み立て時の誤差を考慮した量だけ、切欠き部１３５ｇよりも広い範囲とすることが望ましい。また、上述したように、太陽電池１３５が切欠き部１３５ｇを有しているため、アンテナ体１１０は、平面視において太陽電池１３５と重ならない領域（露出部）を有しているが、アンテナ体１１０の少なくとも露出部については、平面視で第１領域１１ｃと重なっている。
【００８７】
着色部１１ｘは、切欠き部１３５ｇが目立たなくなるように、太陽電池１３５のソーラーセル１３５ｃの色調（濃紫色）と略同一の色調となるように着色されている。ただし、太陽電池１３５が文字板１１に近接して配置されるのに対して、着色部１１ｘは、文字板１１に密着しているため、着色部１１ｘの色調を太陽電池１３５と略同一の色調にしても、文字板１１の表面側から見て、第１領域１１ｃが目立ってしまうことも想定される。この場合には、着色部１１ｘの色調や光透過性を事前に調整しておくことで、第１領域１１ｃを目立ちにくくすることが望ましい。つまり、着色部１１ｘの色調は、太陽電池１３５のソーラーセル１３５ｃと略同一の色調に限らず、文字板１１の表面側から見て、切欠き部１３５ｇが目立ちにくくなる色調であればよい。なお、着色部１１ｘの色は、第１の色に相当する。さらに、着色部１１ｘは、光透過性を有していなくてもよい。第１領域１１ｃの大部分は、切欠き部１３５ｇに重なっていることが想定されるため、着色部１１ｘが光透過性を有していない場合でも、電子時計１０の駆動に必要な電気エネルギーを確保することができる。以上の構成にすることで、切欠き部１３５ｇが、第１領域１１ｃで遮蔽されて目立ちにくくなる。
【００８８】
第１領域１１ｃへの着色、即ち着色部１１ｘの形成は、スクリーン印刷によって行うことができる。このとき、使用するインキはアクリル系やウレタン系のインキが想定される。また、スクリーン印刷を行う場合、着色部１１ｘの厚みは、２〜６マイクロメートル程度である。また、文字板１１の裏面の第１領域１１ｃを除く範囲にマスキングを施した状態で塗装を行い、その後でマスキングを剥離させることで着色を行うこともできる。また、着色方法はスクリーン印刷や塗装に限定されず、これら以外の方法であってもよい。同様に、着色料もインキや塗料に限定されず、これら以外の着色料を使用してもよい。さらに、インキは、例えば、上記のアクリル系やウレタン系に限定されず、多様なインキを使用してもよい。また、第２領域１１ｄは、着色処理がなされていない領域である必要はなく、光透過性を有していれば、第１領域１１ｃとは異なる色調で着色がなされていてもよい。
【００８９】
以上述べたように、本実施形態に係る構成によれば、以下の効果を得ることができる。
【００９０】
本実施形態によれば、文字板１１において、太陽電池１３５の切欠き部１３５ｇと重なる第１領域１１ｃの裏面が着色されているため、切欠き部１３５ｇが第１領域１１ｃで遮蔽されて目立ちにくくなる。これにより、切欠き部１３５ｇを目立ちにくくするための遮蔽シートを設ける必要がなくなるため、電子時計１０の厚みの増加を抑制することが可能となり、電子時計１０の薄型化を図ることができる。
【００９１】
なお、上述した実施形態に種々の変更や改良などを加えることが可能である。変形例を以下に述べる。
【００９２】
（変形例１）
以下、変形例１に係る構成について説明する。なお、第１実施形態と同一の構成部位については、同一の番号を附し、重複する説明は省略する。
【００９３】
図１３及び図１４は、変形例１に係る電子時計１０において、アンテナ体１１０を通り、径方向に沿った断面を示す部分断面図である。
図１３に示すように、変形例１に係る文字板１１は、表面に加飾層１１ｅが形成されている点で第１実施形態と異なっている。加飾層１１ｅは、文字板１１の色調を変更するための、光透過性をもつ塗膜層が想定される。また、文字板１１の艶感を変えるための塗膜層（例えば、艶消し塗膜層）であってもよい。さらに、文字板１１との屈折率の違いを利用した、高反射膜の蒸着層であってもよい。加飾層１１ｅは、上記の塗膜層や蒸着層に限らず、文字板１１を加飾するものであればよい。また、加飾方法についても、上記の塗装や蒸着に限定されず、他の方法を用いてもよい。
【００９４】
加飾層１１ｅは、必ずしも文字板１１の全面に形成されなくてもよい。例えば、第１小窓７０、第２小窓８０及び第３小窓９０の内側のみに加飾層１１ｅが形成される構成であってもよい。
【００９５】
また、厚さ方向に、複数の層を含んだ構成としてもよい。例えば、文字板１１の表面に、下側から順に、着色塗膜層、艶消し塗膜層及び目盛印刷層を含んだ３層構造の加飾層１１ｅとすることも可能である。
【００９６】
また、文字板１１に対して平行な方向に、複数の加飾層１１ｅを形成するようにしてもよい。例えば、文字板１１の表面において、第１小窓７０、第２小窓８０及び第３小窓９０の内側は、光透過性が高い着色塗膜層とし、これらの小窓の外側は、光透過性の低い着色塗膜層とする構成にすることも可能である。
【００９７】
以上述べたように、本変形例に係る構成によれば、第１実施形態での効果に加えて、以下の効果を得ることができる。
【００９８】
本変形例によれば、文字板１１の表面に加飾層１１ｅが形成されているため、文字板１１に、デザインに合わせた色調や視覚効果（艶消し効果など）を与えることが可能となり、これによって、電子時計１０のデザインの向上を図ることができる。
【００９９】
なお、加飾層１１ｅを形成することで、文字板１１の光透過性は低下してしまうが、太陽電池１３５が電子時計１０の駆動に必要な電気エネルギーの生成を維持できる程度の光透過性を有していればよい。また、光透過性の低下により、文字板１１の裏側の切欠き部１３５ｇを一層目立ちにくくすることができる。
【０１００】
また、図１４に示すように、文字板１１の裏面に加飾層１１ｆを形成するようにしてもよい。文字板１１の裏面に加飾層１１ｆを形成した場合には、加飾層１１ｆを直接視認することはできないが、表面に加飾層１１ｅを形成した場合と同様、文字板１１に色調の変化や視覚効果を与えることができる。また、文字板１１の表面と裏面の双方に、加飾層１１ｅ，１１ｆを形成してもよい。
【０１０１】
（変形例２）
以下、変形例２に係る構成について説明する。なお、第１実施形態と同一の構成部位については、同一の番号を附し、重複する説明は省略する。
【０１０２】
図１５及び図１６は、変形例２に係る電子時計１０において、アンテナ体１１０を通り、径方向に沿った断面を示す部分断面図である。
図１５に示すように、変形例２に係る文字板１１は、表面に凹凸パターン１１ｇが形成されている点で第１実施形態と異なっている。凹凸パターン１１ｇとしては、畳目模様、ストライブ模様、文字板１１の中心から広がる渦目模様や放射模様などが想定される。また、凹凸パターン１１ｇは上記の模様に限らず、上記以外の模様であってもよい。また、凹凸パターン１１ｇは、文字板１１が樹脂製の場合、所定の模様が加工されている金型で成形を行うことで、文字板１１に形成される。なお、凹凸パターン１１ｇの形成方法は上記に限らず、多様な方法を使用することができる。例えば、平面な文字板１１に、回転した刷毛を文字板中心から当てることにより、文字板１１の中心から広がる放射状の凹凸パターン１１ｇを形成してもよい。
【０１０３】
凹凸パターン１１ｇは、必ずしも文字板１１全面に形成されなくてもよい。例えば、第１小窓７０、第２小窓８０及び第３小窓９０の内側のみに凹凸パターン１１ｇが形成される構成であってもよい。
【０１０４】
また、厚さ方向に、複数の凹凸パターン１１ｇを重畳させる構成としてもよい。例えば、文字板１１の表面に、放射模様を形成し、放射模様の表面に梨地模様を形成することも可能である。
【０１０５】
また、文字板１１に対して平行な方向に、複数の凹凸パターン１１ｇを形成するようにしてもよい。例えば、文字板１１の表面において、第１小窓７０、第２小窓８０及び第３小窓９０の内側には、それぞれの中心から広がる渦目模様を形成し、これらの小窓の外側には、文字板１１の中心から広がる放射模様を形成することも可能である。
【０１０６】
以上述べたように、本変形例に係る構成によれば、第１実施形態での効果に加えて、以下の効果を得ることができる。
【０１０７】
本変形例によれば、文字板１１の表面に凹凸パターン１１ｇが形成されているため、文字板１１に、デザインに合わせた立体感や光沢感を与えることが可能となり、これによって、電子時計１０のデザインの向上を図ることができる。
【０１０８】
また、凹凸パターン１１ｇを形成することで、文字板１１に光反射効果と光屈折効果を与えることができ、文字板１１の裏側の切欠き部１３５ｇを目立ちにくくすることができる。
【０１０９】
なお、図１６に示すように、文字板１１の裏面に凹凸パターン１１ｈを形成するようにしてもよい。文字板１１の裏面に凹凸パターン１１ｈを形成した場合には、凹凸パターン１１ｈを直接視認することはできないが、表面に凹凸パターン１１ｇを形成した場合と同様、文字板１１に立体感や光沢感を与えることができる。また、文字板１１の表面と裏面の双方に、凹凸パターン１１ｇ，１１ｈを形成してもよい。
【０１１０】
特に、文字板１１の裏面に、凹凸パターン１１ｈとしてのＶ字溝を、文字板１１の中心から広がるように渦目状に形成することで、プリズム効果により、文字板１１での光反射量を増大させることができ、文字板１１の中心から放射状に広がる金属調の光沢感を付与することができる。これによって、切欠き部１３５ｇを目立ちにくくすることができる。このとき、プリズム効果は、文字板１１と空気層の屈折率の違いと、光の入射角をＶ字溝によって変更することとを利用し、光の入射光に対する、全反射光の割合を増加させることを利用している。
【０１１１】
また、凹凸パターン１１ｇ，１１ｈと加飾層１１ｅ，１１ｆを複数組み合わせた構成にしてもよい。複数の組み合わせ構成とすることで、凹凸パターン１１ｇ，１１ｈと加飾層１１ｅ，１１ｆの個別では表現できなかった色調の変化や視覚効果、立体感や光沢感を文字板１１に与えることができ、さらに文字板１１のデザインの向上を図ることができる。
【０１１２】
（変形例３）
以下、変形例３に係る構成について説明する。なお、第１実施形態と同一の構成部位については、同一の番号を附し、重複する説明は省略する。
【０１１３】
図１７は、変形例３に係る文字板１１を裏面側から見た平面図である。また、図１７は、変形例３に係る太陽電池１３５の外観を示す平面図である。
図１７に示すように、変形例３に係る文字板１１の第１領域１１ｃ（着色部１１ｘ）は、文字板１１の中心から放射状に広がる扇形状である点で第１実施形態と異なっている。文字板１１のデザインは、中心から放射状に広がるような模様や視覚効果を有することが多いため、着色部１１ｘが扇形状である場合には、文字板１１の表面側から着色部１１ｘが視認されたとしても、文字板１１のデザインに盛り込むことができる。
【０１１４】
また、図１８に示すように、太陽電池１３５の切欠き部１３５ｇについても、文字板１１の中心から放射状に広がる扇形状としてもよい。この構成とすることで、第１領域１１ｃが比較的高い光透過性を有していて、太陽電池１３５の切欠き部１３５ｇが視認されたとしても、同様に文字板１１のデザインに盛り込むことができる。
【０１１５】
以上述べたように、本変形例に係る構成によれば、第１実施形態での効果に加えて、以下の効果を得ることができる。
【０１１６】
本変形例によれば、着色部１１ｘが扇形状であるため、文字板１１の表面側から着色部１１ｘが視認されても、電子時計１０のデザイン性の低下を抑制することができる。
【０１１７】
また、切欠き部１３５ｇの形状も扇形状である場合には、第１領域１１ｃが比較的高い光透過性を有していて、太陽電池１３５の切欠き部１３５ｇが視認されても、電子時計１０のデザイン性の低下を抑制することができる。
【０１１８】
＜第２実施形態＞
次に、図１９及び図２０を参照して、第２実施形態について説明する。
【０１１９】
図１９は、第２実施形態に係る電子時計１０において、日車１３０及び日車押さえ１３１を表面側から見た平面図であり、図１９には、アンテナ体１１０及び太陽電池１３５の輪郭も示されている。図２０は、第２実施形態に係る電子時計１０において、アンテナ体１１０を通り、径方向に沿った断面を示す部分断面図である。
【０１２０】
図１９及び図２０に示すように、本実施形態では、日車１３０を押さえる日車押さえ１３１の形状が第１実施形態とは異なっている。本実施形態の日車押さえ１３１は、平面視で略円形状の基体部１３１ａと、基体部１３１ａの外周よりも外側に張り出した張り出し部１３１ｇを有する。張り出し部１３１ｇは、平面視において日車１３０と交差して、その先端が文字板受けリング１２６の近傍に達するほどに張り出している。
【０１２１】
日車押さえ１３１の張り出し部１３１ｇは、平面視において、文字板１１の第１領域１１ｃと重なるように設けられている。具体的には、張り出し部１３１ｇは、第１領域１１ｃから平面視ではみ出さないように第１領域１１ｃの内側に配置されるとともに、アンテナ体１１０が配置される太陽電池１３５の切欠き部１３５ｇの全域を覆うような形状に形成されている。このように、本実施形態の電子時計１０は、日車押さえ１３１が、切欠き部１３５ｇを覆う張り出し部１３１ｇを有しているため、文字板１１の第１領域１１ｃが比較的高い光透過性を有していても、太陽電池１３５の切欠き部１３５ｇが視認されてしまうことを抑制できるとともに、平面視で切欠き部１３５ｇに重なるように配置されるアンテナ体１１０や日車１３０等が視認されることも抑制することができる。また、日車１３０及び日車押さえ１３１は、電子時計１０に一般的に使用される部品であり、日車押さえ１３１が張り出し部１３１ｇを有していても、日車１３０及び日車押さえ１３１を有する他の電子時計１０に比べて、厚みが増加してしまうことはない。
【０１２２】
以上述べたように、本実施形態に係る構成によれば、第１実施形態での効果に加えて、以下の効果を得ることができる。
【０１２３】
本実施形態によれば、太陽電池１３５の切欠き部１３５ｇを日車押さえ１３１が覆うように構成されるため、第１領域１１ｃが比較的高い光透過性を有していても、切欠き部１３５ｇを目立ちにくくすることができる。
また、第１実施形態の変形例１、２及び３を本実施形態に適用することができ、これによって、本実施形態の効果に加えて、変形例１、２及び３の効果を得ることができる。
【０１２４】
なお、本実施形態では、電子時計１０が日車１３０を有しており、この日車１３０を押さえる部材（日車押さえ１３１）によって切欠き部１３５ｇを覆う構成を示したが、この構成に限定されない。例えば、曜日が表記されたリング状の平板（曜車）や、都市名が表記されたリング状の平板等が電子時計１０に備わる場合には、これらの平板を押さえる部材によって切欠き部１３５ｇを覆う構成としてもよい。
【０１２５】
＜第３実施形態＞
次に、図２１を参照して、第３実施形態について説明する。本実施形態の電子時計１０は、文字板１１の裏面に着色を行う代わりに、着色された部材を文字板１１の裏面に文字板１１に一体化して配置させる点で第１実施形態と異なっている。
【０１２６】
図２１は、第３実施形態に係る電子時計１０において、アンテナ体１１０を通り、径方向に沿った断面を示す部分断面図である。
図２１に示すように、本実施形態の文字板１１は、着色された部材である第１部材１１ｙが裏面に配置された第１領域１１ｉと、裏面に第１部材１１ｙが配置されていない第２領域１１ｊとを含んで構成されている。なお、第２領域１１ｊの裏面には、光透過性を有し、第１部材１１ｙとは異なる色調の部材が配置されていてもよい。
【０１２７】
第１領域１１ｉ（第１部材１１ｙ）は、太陽電池１３５の配置されない切欠き部１３５ｇと同様、平面視で略矩形の形状を有している。また、第１領域１１ｉ（第１部材１１ｙ）は、切欠き部１３５ｇの全域を覆うことができるように、切欠き部１３５ｇより広い範囲に配置されており、第１領域１１ｉの周縁部は、太陽電池１３５と重なっている。つまり、太陽電池１３５は、文字板１１の第２領域１１ｊと第１領域１１ｉの一部とに重なっている。ただし、太陽電池１３５と重なる範囲が広くなると、太陽電池１３５に入射する光量が低減してしまうため、第１領域１１ｉの大きさは、第１部材１１ｙの配置時や組み立て時の誤差を考慮した量だけ、切欠き部１３５ｇよりも広い範囲とすることが望ましい。また、上述したように、太陽電池１３５が切欠き部１３５ｇを有しているため、アンテナ体１１０は、平面視において太陽電池１３５と重ならない領域（露出部）を有しているが、アンテナ体１１０の少なくとも露出部については、平面視で第１領域１１ｉと重なっている。
【０１２８】
第１領域１１ｉは、断面視において、第１部材１１ｙを配置した分だけ、第２領域１１ｊよりも下側に突き出た構成となっているが、この構成に限定されない。例えば、第１領域１１ｉが第２領域１１ｊよりも薄くなるような加工を文字板１１の裏面に施した後で第１部材１１ｙを配置することにより、第１領域１１ｉが第２領域１１ｊよりも下側に突き出ない構成としてもよい。つまり、第１領域１１ｉは切欠き部１３５ｇより広い領域であれば、厚み方向に、任意の厚みを持つ構成とすることができる。
【０１２９】
第１部材１１ｙは、切欠き部１３５ｇが目立たなくなるように、太陽電池１３５のソーラーセル１３５ｃの色調（濃紫色）と略同一の色調となるように着色されている。ただし、太陽電池１３５が文字板１１に近接して配置されるのに対して、第１部材１１ｙは、文字板１１に密着するように配置されるため、第１部材１１ｙの色調を太陽電池１３５と略同一の色調にしても、文字板１１の表面側から見て、第１領域１１ｉが目立ってしまうことも想定される。この場合には、第１部材１１ｙの色調や光透過性を事前に調整しておくことで、第１領域１１ｉを目立ちにくくすることが望ましい。つまり、第１部材１１ｙの色調は、太陽電池１３５のソーラーセル１３５ｃと略同一の色調に限らず、文字板１１の表面側から見て、切欠き部１３５ｇが目立ちにくくなる色調であればよい。なお、第１部材１１ｙの色は、第１の色に相当する。また、第１部材１１ｙは光透過性を有していなくてもよい。第１領域１１ｉの大部分は切欠き部１３５ｇに重なっていることが想定されるため、第１部材１１ｙが光透過性を有していない場合でも、電子時計１０の駆動に必要な電気エネルギーを確保することができる。以上の構成にすることで、切欠き部１３５ｇが、第１領域１１ｉで遮蔽されて目立ちにくくなる。
【０１３０】
本実施形態のように、文字板１１の裏面に第１部材１１ｙを文字板１１に一体化して配置させる構成は、文字板１１が樹脂製の場合、文字板１１の一般的な成形工程を、２色成形の工程に変更することによって達成される。また、２色成形以外の方法で形成することも可能である。例えば、インサート成形であってもよい。
【０１３１】
以上述べたように、本実施形態に係る構成によれば、第１実施形態と同様の効果を得ることができる。
【０１３２】
また、文字板１１の形成を２色成形等によって行う場合には、文字板１１の裏面に着色を行う場合に比べて、工程数を大きく増やす必要がなく、既存の工程の変更により、文字板１１を形成できるため、製造コストを抑えることができる。
【０１３３】
また、第１実施形態の変形例１、２及び３を本実施形態に適用することができ、これによって、本実施形態の効果に加えて、変形例１、２及び３の効果を得ることができる。
【符号の説明】
【０１３４】
８…ＧＰＳ衛星、１０…電子時計、１１…文字板、１１ｃ，１１ｉ…第１領域、１１ｄ，１１ｊ…第２領域、１１ｅ，１１ｆ…加飾層、１１ｇ，１１ｈ…凹凸パターン、１１ｘ…着色部、１１ｙ…第１部材、１２…突起部、１３…中心穴、１５…日小窓、２１，２２，２３…指針、２５…指針軸、３０…外装ケース、３１…ケース、３２…ベゼル、３３…カバーガラス、３４…裏蓋、３５…都市情報、４０…ダイヤルリング、４５…時差情報、４６…タイムゾーン表示、５０…リュウズ、６１…Ａボタン、６２…Ｂボタン、６３…Ｃボタン、６４…Ｄボタン、７０…第１小窓、８０…第２小窓、９０…第３小窓、７１，８１，９１…指針、９２，９３…記号、１１０…アンテナ体、１２０…回路基板、１２２…受信部、１２５…地板、１２５ａ…案内用凸部、１２５ｂ…文字板高さ決め用凸部、１２５ｃ…固定用ピン、１２５ｄ…フランジ部、１２５ｅ…貫通孔、１２５ｆ…庇、１２５ｇ…切欠き部、１２５ｋ…突起、１２６…文字板受けリング、１２６ａ…太陽電池フック部、１２６ｆ…地板受け部、１２６ｍ…突状部、１３０…日車、１３１…日車押さえ、１３１ａ…基体部、１３１ｇ…張り出し部、１３５…太陽電池、１３５ｂ…ソーラーフィルム、１３５ｂ−１，１３５ｂ−２…案内用タブ、１３５ｃ…ソーラーセル、１３５ｄ…導通部、１３５ｅ…基板、１３５ｇ…切欠き部、１３５ｈ…仮想外形線、１４０…駆動機構、１５０…制御部、１５３…ＣＰＵ、１５４…ＲＡＭ、１５５…ＲＯＭ、１５７…入力装置、１５９…データバス。
【図１】
2019128306.tif 000003
【図２】
2019128306.tif 000004
【図３】
2019128306.tif 000005
【図４】
2019128306.tif 000006
【図５】
2019128306.tif 000007
【図６】
2019128306.tif 000008
【図７】
2019128306.tif 000009
【図８】
2019128306.tif 000010
【図９】
2019128306.tif 000011
【図１０】
2019128306.tif 000012
【図１１】
2019128306.tif 000013
【図１２】
2019128306.tif 000014
【図１３】
2019128306.tif 000015
【図１４】
2019128306.tif 000016
【図１５】
2019128306.tif 000017
【図１６】
2019128306.tif 000018
【図１７】
2019128306.tif 000019
【図１８】
2019128306.tif 000020
【図１９】
2019128306.tif 000021
【図２０】
2019128306.tif 000022
【図２１】
2019128306.tif 000023